(57)【要約】  本発明は、主原料として特殊な水を大量に使用して灯油等の液体原料を少量だけ使用することで、安価なコストで水素ガスと酸素ガスとを含む燃料ガスを製造する燃料ガスの製造方法を提供するものである。  水を最初にイオン交換樹脂に通過させその後にトルマリンと火成岩のうちの二酸化珪素を多く含む岩石とのどちらか一方を先に他方を後に通過させた特殊な水と、液体原料と、植物油とを混合してエマルジョンを生成する。エマルジョンを構成する特殊な水と液体原料と前記植物油の重量比は、合計１００％のうち、前記特殊な水の重量比を９９．４％以下とし、前記液体原料の重量比を０．５％以上とし、前記植物油の重量比を０．１％以上とする。生成したエマルジョンを容器内に密閉状態で収容し、密閉容器内のエマルジョンを加熱手段で加熱する。これによって、密閉容器内に水素ガスと酸素ガスとから成る燃料ガスを大量に発生させることができる。【選択図】図５
2010079712.tif 000002
【特許請求の範囲】
【請求項１】
水を最初にイオン交換樹脂に通過させその後にトルマリンと流紋岩か花崗岩かの岩石とのどちらか一方を先に他方を後に通過させた特殊な水と、液体原料と、植物油とを混合して成るエマルジョンであって、前記特殊な水と前記液体原料と前記植物油の重量比の合計１００％のうち、前記特殊な水の重量比を９９．４％以下とし、前記液体原料の重量比を０．５％以上とし、前記植物油の重量比を０．１％以上としたエマルジョンを容器内に密閉状態で収容し、前記密閉容器内の前記エマルジョンを加熱手段で加熱することで密閉容器内に水素ガスと酸素ガスとを発生させることを特徴とする燃料ガスの製造方法。
【請求項２】
前記特殊な水の重量比を８９．９％以下とし、前記液体原料の重量比を１０％以上としたことを特徴とする請求項１記載の燃料ガスの製造方法。
【請求項３】
前記密閉容器内にトルマリンを入れた状態で前記密閉容器内のエマルジョンを加熱することを特徴とする請求項１または２記載の燃料ガスの製造方法。
【請求項４】
前記密閉容器内にトルマリンを入れたものに、アルミナかシリカの少なくとも１つを入れた状態で、前記密閉容器内のエマルジョンを加熱することを特徴とする請求項３記載の燃料ガスの製造方法。
【請求項５】
前記液体原料を、灯油，軽油，軽油と灯油の混合物，重油，重油と灯油の混合物，ガソリン，ナフサ，エタノール，メタノール，ベンゼン，トルエン，キシレン，液化石油ガス，液化都市ガスのうちのいずれか一つとしたことを特徴とする請求項１乃至４のうちいずれか１項記載の燃料ガスの製造方法。
【請求項６】
前記液体原料が灯油またはガソリンまたはナフサの場合に、前記植物油を、ひまし油に菜種油かひまわり油か米油のうちの少なくとも１つを混合したものとしたことを特徴とする請求項５記載の燃料ガスの製造方法。
【請求項７】
前記液体原料を、軽油，軽油と灯油の混合物，重油，重油と灯油の混合物，エタノール，メタノールのうちのいずれか一つとした場合に、前記植物油をひまし油としたことを特徴とする請求項５記載の燃料ガスの製造方法。
【請求項８】
前記流紋岩は、黒曜石，真珠岩及び松脂岩のうち少なくとも１つから成る岩石としたことを特徴とする請求項１乃至７のうちいずれか１項記載の燃料ガスの製造方法。
【請求項９】
前記特殊な水を生成する際に使用するトルマリンにアルミニウム，ステンレス及び銀のうちの少なくとも１つから成る金属を混合させたものとしたことを特徴とする請求項１乃至７のうちいずれか１項記載の燃料ガスの製造方法。
【発明の詳細な説明】
【技術分野】
【０００１】
本発明は、主に特殊な水と灯油等の液体原料とから燃料ガスを製造するための燃料ガスの製造方法に関するものである。
【背景技術】
【０００２】
燃料ガスとして水素ガスを使用することが従来から知られている。水素ガスは、例えば灯油等と水蒸気とから製造する方法が特許文献１や特許文献２に示されている。【０００３】
特許文献１では、灯油等の液体原料を脱硫器で脱硫し、脱硫した液体原料と水蒸気とを改質器内で混合することで、水素ガスを発生させるものである。特許文献２では、灯油等の原料炭化水素を脱硫触媒と接触させて脱硫し、脱硫した原料炭化水素に水蒸気を添加し、その後に加熱し、原料炭化水素を水蒸気改質触媒と接触させてメタンリッチガスを生成し、得られたメタンリッチガスを加熱して水蒸気改質触媒と接触させることで高純度な水素を得るものである。
【先行技術文献】
【特許文献】
【０００４】
【特許文献１】特開２００４−３１９３３０
【特許文献２】特開２００１−１９９７０４
【発明の概要】
【発明が解決しようとする課題】
【０００５】
特許文献１や特許文献２は、灯油等の液体原料からイオウ分を脱硫し、脱硫した灯油等に水蒸気を混合したり、水蒸気を混合した後に加熱したりして、水素ガスを得るものである。特許文献１や特許文献２では、灯油等の液体原料から脱硫を行わないで水素ガスを製造した場合には、生成した水素ガスを燃焼させると、イオウ分等の臭いが発生する。このため、灯油等の燃料から水素ガスを製造する場合には、灯油等の液体原料から先ず脱硫作業を行うための脱硫装置を備えなければならない。よて、この脱硫装置を備えることで、水素ガスを製造する装置全体のコストが高いものとなっていた。【０００６】
特許文献１の技術や特許文献２では、水素を得るための主原料として、灯油等の燃料を大量に使用するため、主原料のコストが高いものとなっていた。【０００７】
本発明は、主原料として特殊な水を大量に使用して灯油等の液体原料を少量だけ使用することで、安価なコストで水素ガスと酸素ガスとを含む燃料ガスを製造する燃料ガスの製造方法を提供することを目的とするものである。本発明の他の目的は、脱硫工程を設けずに燃焼時の臭いの発生を無くすことができる安価な燃料ガスの製造方法を提供するものである。
【課題を解決するための手段】
【０００８】
本発明に係る燃料ガスの製造方法は、水を最初にイオン交換樹脂に通過させその後にトルマリンと流紋岩か花崗岩かの岩石とのどちらか一方を先に他方を後に通過させた特殊な水と、液体原料と、植物油とを混合して成るエマルジョンであって、前記特殊な水と前記液体原料と前記植物油の重量比の合計１００％のうち、前記特殊な水の重量比を９９．４％以下とし、前記液体原料の重量比を０．５％以上とし、前記植物油の重量比を０．１％以上としたエマルジョンを容器内に密閉状態で収容し、前記密閉容器内の前記エマルジョンを加熱手段で加熱することで密閉容器内に水素ガスと酸素ガスとを発生させることを特徴とするものである。本発明は、前記特殊な水の重量比を８９．９％以下とし、前記液体原料の重量比を１０％以上としたことを特徴とするものである。本発明は、前記密閉容器内にトルマリンを入れた状態で前記密閉容器内のエマルジョンを加熱することを特徴とするものである。本発明は、前記密閉容器内にトルマリンを入れたものに、アルミナかシリカの少なくとも１つを入れた状態で、前記密閉容器内のエマルジョンを加熱することを特徴とするものである。本発明は、前記液体原料を、灯油，軽油，軽油と灯油の混合物，重油，重油と灯油の混合物，ガソリン，ナフサ，エタノール，メタノール，ベンゼン，トルエン，キシレン，液化石油ガス，液化都市ガスのうちのいずれか一つとしたことを特徴とするものである。本発明は、前記液体原料が灯油またはガソリンまたはナフサの場合に、前記植物油を、ひまし油に菜種油かひまわり油か米油の内の少なくとも１つを混合したものとしたことを特徴とするものである。本発明は、前記液体原料を、軽油，軽油と灯油の混合物，重油，重油と灯油の混合物，エタノール，メタノールのうちのいずれか一つとした場合に、前記植物油をひまし油としたことを特徴とするものである。本発明は、前記流紋岩は、黒曜石，真珠岩及び松脂岩のうち少なくとも１つから成る岩石としたことを特徴とするものである。本発明は、前記特殊な水を生成する際に使用するトルマリンにアルミニウム，ステンレス及び銀のうちの少なくとも１つから成る金属を混合させたものとしたことを特徴とするものである。
【発明の効果】
【０００９】
本発明の燃料ガスの製造方法では、特殊な水（創生水）と液体原料と植物油とでエマルジョン（液体エマルジョン燃料）を生成し、そのエマルジョンを加熱することで燃料ガス(水素ガスと酸素ガス)を製造するものである。エマルジョンを生成する構成要素である創生水には、その内部に、水素イオン（Ｈ+）と水素（Ｈ2）と水酸基（ＯＨ-）と活性水素と溶存酸素とヒドロニウムイオン（Ｈ3Ｏ+）とヒドロキシルイオン（Ｈ3Ｏ2-）とを含んでいる。このため、エマルジョンを密閉容器内で加熱することで、創生水に含まれる水素イオン（Ｈ+）と水素（Ｈ2）と水酸基（ＯＨ-）と活性水素と溶存酸素とヒドロニウムイオン（Ｈ3Ｏ+）とヒドロキシルイオン（Ｈ3Ｏ2-）から、水素ガスと酸素ガスとが大量に発生する。密閉容器内でエマルジョンを加熱することで、大量の水素ガスと酸素ガスの発生を誘発するものと考えられる。創生水から大量の水素ガスと酸素ガスを発生することから、エマルジョンを構成する水である創生水の重量比を９９．６％以下とすることができる。即ち、エマルジョンを構成する水（創生水）を１００％に近い割合としても、密閉容器内でエマルジョンを加熱することで、水素ガスと酸素ガスを含む燃料ガスを大量に得ることができる。【００１０】
エマルジョンを構成する灯油等の液体原料は、燃料ガスに着火する際の着火性を良好にするためと、燃料ガスの燃焼温度を高めるために効果があるものである。創生水を９０％以下とし、灯油等の液体原料を約１０％以上とすることで、燃焼ガスを燃焼させた温度を高温にすることができる。【００１１】
エマルジョンンの重量１００％に対し重量０．３％以上の過酸化水素を混合し、その混合物を密閉容器内で加熱する。これによって、過酸化水素は、創生水から発生する酸素ガスを増量するための誘発剤として作用すると共に、それ自体からの酸素ガスを発生させて、燃料ガスに含まれる酸素ガスを増加させることができる。【００１２】
従来の灯油等の石油燃料から水素ガスを製造する方法においては、脱硫装置によって灯油等に含まれる硫黄を除去しなければならず、脱硫装置を備えなければならない。これに対して本願発明では、密閉容器内にトルマリンまたはトルマリンと金属の混合物を入れることによって、燃焼ガスの燃焼時の臭いを消すことができる。即ち、本発明では、燃焼ガスを燃焼させた際に発生する臭いを消すために、従来必要とした脱硫装置を備えなくて済ますことができ、装置としてのコストを低減することができる。【００１３】
大量の特殊な水と少量の灯油等の液体原料とを乳化させるため、植物油としては、ひまし油に菜種油かひまわり油か米油の少なくとも１以上のものを混合させることによって、乳化を円滑に行わせることができる。また、乳化安定状態を長期間（１週間から１ヶ月以上）保持することができる。
【図面の簡単な説明】
【００１４】
【図１】本発明に係る燃料ガスの製造方法に使用する特殊な水を作る製造装置の一例を示す構成図である。
【図２】図１に示す製造装置に用いる軟水生成器の断面図である。
【図３】図１に示す製造装置に用いるイオン生成器の要部断面図である。
【図４】本発明に係る燃料ガスの製造方法に使用する特殊な水を作る製造装置の他の例を示す構成図である。
【図５】本発明に使用する密閉容器を示す構成図である。
【符号の説明】
【００１５】
１０  第１軟水生成器
１２  第２軟水生成器
１４  イオン生成器
１６  岩石収納器
３２  イオン交換樹脂
４６  トルマリン
４８  金属
５４  岩石
６０  容器
６２  蓋
６６  ノズル
７４  加熱手段
７６  トルマリン
７８  トルマリンとアルミナかシリカの少なくとも１つの材料
【発明を実施するための形態】
【００１６】
本発明の燃料ガスの製造方法は、主として特殊な水と、灯油等の液体原料と、植物油とからエマルジョンを製造し、そのエマルジョンを使用して燃料ガスを製造するものである。
【００１７】
本発明の燃料ガスの製造方法について説明する前に、先ず、本発明で使用する殊な水（以下、「創生水」とする）を、図１乃至図３に基づいて説明する。図１は創生水の製造装置の一実施例を示す構成図である。第１の軟水生成器１０と第２の軟水生成器１２とイオン生成器１４と岩石収納器１６とを、連絡管１８ａ，１８ｂ，１８ｃを介して、順に直列に連結する。第１の軟水生成器１０には、例えば水道のような圧力のある水が水供給管２０から連絡管２２を介して第１の軟水生成器１０に供給される。水供給管２０と連絡管２２との間には、蛇口のような入口用開閉弁２４が備えられ、連絡管２２の途中には逆止弁２６が備えられる。岩石収納器１６の出口側には吐出管２８が取り付けられ、吐出管２８の先端または途中に出口用開閉弁３０が備えられる。
【００１８】
水道水の場合、水供給管２０から送り出される水は、第１の軟水生成器１０と第２の軟水生成器１２とイオン生成器１４と岩石収納器１６の順を経て、出口用開閉弁３０を開くことによって吐出管２８から取り出される。水道水以外の場合は、図示しないが、水槽に溜めた水をポンプによって、水供給管２０を経由して第１の軟水生成器１０に導入する。この場合、ポンプと第１の軟水生成器１０との間に逆止弁２６を備える。
【００１９】
第１の軟水生成器１０と第２の軟水生成器１２は、その内部に粒状のイオン交換樹脂３２を大量に収納するもので、その断面図を図２に示す。軟水生成器１０，１２の本体３４は筒状をしており、その筒状の上下端面に水の出入口３６ａ，３６ｂを有する。筒状の本体３４の内部には、上下の端面からやや離れた位置の内壁に、それぞれ中央に穴を開けたシールド部材３８ａ，３８ｂを備える。その一対のシールド部材３８ａ，３８ｂの間に、イオン交換樹脂３２を細かい網４０に入れた状態で収納する。上下の出入口３６ａ，３６ｂからやや離れた位置の内壁に、中央に穴を開けたシールド部材３８を備えるのは、イオン交換樹脂３２を入れた網４０を一対のシールド部材３８の間に配置し、出入口３６ａ，３６ｂ付近に空間４２ａ，４２ｂを形成させるためである。また、シールド部材３８ａ，３８ｂの中央の穴から水を出入りさせるようにしたのは、水がイオン交換樹脂３２に必ず接触させるためである。イオン交換樹脂３２を網４０に入れるのは、粒状のイオン交換樹脂３２を洗浄するために取り出す際に、網４０ごと粒状のイオン交換樹脂３２を取り出せるようにしたものである。
【００２０】
第１の軟水生成器１０と第２の軟水生成器１２は、その高さを例えば８０ｃｍとし、内径を１０ｃｍとする。そして、例えばイオン交換樹脂３２の収納高さを７０ｃｍとし（上下に空間４２ａ，４２ｂを存在させる）。この際、イオン交換樹脂３２の収納高さは、水にイオン交換が充分行えるような高さが必要である。一方、イオン交換樹脂３２の収納高さが高くなりすぎると（例えばイオン交換樹脂３２の収納高さが約２００ｃｍ以上になると）、イオン交換樹脂３２が水の抵抗となって軟水生成器の内部を通過する流量が減少するため、イオン交換樹脂３２の収納高さを流量が減少しない高さにする。イオン交換樹脂３２を収納する容器を２つに分けたのは、第１の軟水生成器１０や第２の軟水生成器１２の高さをイオン生成器１４や岩石収納器１６と同じ程度の高さに低く押えるためと、そこを通過する水の圧損失によって流量が減少することを避けるためである。また、２つの軟水生成器１０，１２を１つにまとめて、１つの軟水生成器にすることも可能である。
【００２１】
イオン交換樹脂３２は、水に含まれているＣａ2+やＭｇ2+やＦｅ2+等の金属イオンを除去して、水を軟水にするためのものであり、特に水の硬度をゼロに近い程度に低くするためのものである。イオン交換樹脂３２としては、例えば、スチレン・ジビニルベンゼンの球状の共重合体を均一にスルホン化した強酸性カチオン交換樹脂（ＲｚＳＯ3Ｎａ）を用いる。このイオン交換樹脂３２は、水に含まれているＣａ2+やＭｇ2+やＦｅ2+等の金属イオンとは、以下のイオン交換反応を生じる。
２ＲｚＳＯ3Ｎａ  ＋  Ｃａ2+  →  (ＲｚＳＯ3)2Ｃａ  ＋  ２Ｎａ+
２ＲｚＳＯ3Ｎａ  ＋  Ｍｇ2+  →  (ＲｚＳＯ3)2Ｍｇ  ＋  ２Ｎａ+
２ＲｚＳＯ3Ｎａ  ＋  Ｆｅ2+  →  (ＲｚＳＯ3)2Ｆｅ  ＋  ２Ｎａ+
即ち、イオン交換樹脂３２を通すことによって、水に含まれているＣａ2+やＭｇ2+やＦｅ2+等を除去することができる。イオン交換樹脂３２として強酸性カチオン交換樹脂（ＲｚＳＯ3Ｎａ）を用いることによって、ナトリウムイオン（Ｎａ+）が発生する。イオン交換樹脂３２は、Ｎａ+以外のものが発生するものであっても構わないが、Ｎａ+を発生するものの方が好ましい。水が水道水であれば、その水道水の中にはＣａ2+やＭｇ2+やＦｅ2+等の金属イオンの他に塩素が含まれているが、水道水がイオン交換樹脂３２を通ることによって、この塩素には何も変化が生じない。
【００２２】
一方、水（Ｈ2Ｏ）がイオン交換樹脂３２を通ることによって、以下のように変化する。
Ｈ2Ｏ  →  Ｈ+  ＋  ＯＨ-    ・・・(1)
Ｈ2Ｏ  ＋  Ｈ+  →  Ｈ3Ｏ+    ・・・(2)
即ち、(1)(2)に示すように、イオン交換樹脂３２を通ることによって、水からは水酸化イオン（ＯＨ-）とヒドロニウムイオン（Ｈ3Ｏ+）とが発生する。
【００２３】
このように、水が硬水であった場合に、イオン交換樹脂３２を通過することによって、水からＣａ2+やＭｇ2+やＦｅ2+等の金属イオンが除去されて軟水となる。また、イオン交換樹脂３２を通過することによって、水の中にＮａ+とＯＨ-とヒドロニウムイオン（Ｈ3Ｏ+）とが発生する。しかし、水道水に含まれている塩素（Ｃｌ）はイオン化しないでそのまま通過する。なお、イオン交換樹脂３２の種類によっては、Ｎａ+が発生しないこともある。
【００２４】
次に、前記イオン生成器１４の部分断面図を図３に示す。イオン生成器１４は、複数個のカートリッジ４４を同じ配置で上下に連続して直列に連結したものである。各カートリッジ４４の内部に、粒状のトルマリン４６のみか、粒状のトルマリン４６と板状の金属４８との混合物かのいずれかを収納する。トルマリンは、プラスの電極とマイナスの電極とを有するもので、このプラスの電極とマイナスの電極によって、水に４〜１４ミクロンの波長の電磁波を持たせ、かつ水のクラスターを切断してヒドロニウムイオン（Ｈ3Ｏ+）を発生させるためのものである。その４〜１４ミクロンの波長の電磁波が持つエネルギは０．００４ｗａｔｔ／ｃｍ2である。ここで、トルマリン４６とは、トルマリン石を細かく砕いたものであっても良いが、トルマリンとセラミックと酸化アルミニウム（銀を含むものもある）との重量比を約１０：８０：１０とする市販のトルマリンペレットと呼ばれるトルマリン混合体であっても良い。このトルマリンペレットに含まれるセラミックは、プラスの電極とマイナスの電極を分離しておく作用をする。ここで、トルマリン４６をセラミックに対し重量比１０％以上の割合で混合させて８００°Ｃ以上で加熱することによって、水の攪拌によって所定の期間（例えば直径４ｍｍで約３ヶ月）で消滅するトルマリン４６を作ることができる。トルマリン４６は、加熱によって強度が増し、摩滅期間を長くすることができる。イオン交換樹脂３２を通過させて水を硬度がゼロに近い軟水にして、その軟水の中でトルマリン４６同士をこすり合わせる。硬度がゼロに近い軟水では、トルマリン４６のマイナスの電極にマグネシウムやカルシウムが付着するのを防ぐことができ、トルマリン４６のプラスとマイナスの電極としての働きを低下させることを防ぐことができる。
【００２５】
前記金属４８としては、アルミニウム、ステンレス、銀の少なくとも１種類の金属を用いる。この金属４８としては、水中で錆を発生させたり水に溶けたりしない金属が望ましい。この金属４８のうち、アルミニウムは殺菌作用や抗菌作用と共に漂白作用を有しており、ステンレスは殺菌作用や抗菌作用と共に洗浄向上作用を有しており、銀は殺菌作用や抗菌作用を有している。金属４８としては、銅や鉛は毒性を有しているので採用することができない。また、金等の高価な素材はコスト上からも採用することができない。前記トルマリン４６と金属４８との重量比は、１０：１〜１：１０が望ましい。その範囲を超えると、一方の素材が多くなりすぎ、両方の素材の効果を同時に発揮することができない。
【００２６】
カートリッジ４４は一端を開放した筒状をしており、その底面５０に多数の穴５２が設けられている。カートリッジ４４の内部にトルマリン４６と金属４８とを入れた場合に、底面５０の穴５２をトルマリン４６や金属４８が通過しないように穴５２の大きさを設定する。図３に示すように、各カートリッジ４４は多数の穴５２を設けた底面５０を下側にし、その底面５０の上にトルマリン４６や金属４８を載せる。そして、各カートリッジ４４の内部を下位から上位に向かって流れるように設定する。即ち、各カートリッジ４４においては、底面５０の多数の穴５２を通過した水が、下から上に向けてトルマリン４６と金属４８とに噴射するように設定されている。ここで、水道水は高い水圧を有するので、その水圧を有する水がカートリッジ４４内のトルマリン４６と金属４８に勢いよく衝突し、その水の勢いでトルマリン４６と金属４８とがカートリッジ４４内で攪拌されるように、穴５２の大きさ並びに個数を設定する。水をトルマリンに噴射してトルマリンを攪拌するのは、その攪拌によってトルマリンと水とに摩擦が生じ、トルマリンからプラスとマイナスの電極が水に溶け出して水のクラスターを切断し、ヒドロニウムイオン（Ｈ3Ｏ+）を大量に発生させるためである。
【００２７】
実際の設置例としては、内径５ｃｍで深さが７ｃｍの収容容積を有するカートリッジ４４を４段に重ね、そのカートリッジ４４内にトルマリン４６と金属４８とを充分収納するが、トルマリン４６と金属４８とがカートリッジ４４内で自由に移動できるような分量とする。カートリッジ４４の段数を増減しても構わないし、収容容積を大きくした１個のカートリッジ４４にしても良い。このように、トルマリン４６と金属４８とを収容容積を小さくした複数のカートリッジ４４に分散させて、それらの複数のカートリッジ４４を接続させることで、水の勢いによってトルマリン４６と金属４８との撹拌効率を高めることができる。カートリッジ４４内に収納したトルマリン４６は、水に溶けて数ヶ月で消滅するので、各カートリッジ４４は例えば螺合等の手段によって容易に着脱出来るようにし、各カートリッジ４４内にトルマリン４６を容易に補充できるようにする。なお、金属４８は水に溶けないので補充する必要がないが、トルマリン４６と金属４８とを入れたカートリッジ４４全体を取替えることも可能である。カートリッジ４４は使用流量の大小に応じてその収容容積を変えるようにしても良い。
【００２８】
カートリッジ４４を通過する水に加えるマイナスイオンを増やすためには、トルマリン４６同士がこすり合うことでプラスとマイナスの電極が水に溶け出して達成することができる。また、水のクラスターを切断し、ヒドロニウムイオン（Ｈ3Ｏ+）を大量に発生させるためには、カートリッジ４４内にトルマリン４６のみを収容すれば良い。しかし、金属４８をトルマリン４６と混合させることによって、それらが接触し合ってトルマリン４６に発生するマイナスイオンをより増加させることができる。
【００２９】
トルマリン４６にはプラス電極とマイナス電極とがあるため、トルマリンが水で攪拌されると、水（Ｈ2Ｏ）は水素イオン（Ｈ+）と水酸化イオン（ＯＨ-）とに解離する。
Ｈ2Ｏ  →  Ｈ+  ＋  ＯＨ-    ・・・(1)
更に、水素イオン（Ｈ+）と水（Ｈ2Ｏ）とによって、界面活性作用を有するヒドロニウムイオン（Ｈ3Ｏ+）が発生する。このヒドロニウムイオン（Ｈ3Ｏ+）の発生量は、前記イオン交換樹脂３２によって発生する量よりはるかに多い量である。
Ｈ2Ｏ  ＋  Ｈ+  →  Ｈ3Ｏ+    ・・・(2)
このヒドロニウムイオン（Ｈ3Ｏ+）の一部は、水（Ｈ2Ｏ）と結びついてヒドロキシルイオン（Ｈ3Ｏ2-）と水素イオン（Ｈ+）になる。
Ｈ3Ｏ+  ＋  Ｈ2Ｏ  →  Ｈ3Ｏ2-  ＋  ２Ｈ+    ・・・(3)
【００３０】
イオン交換樹脂３２を通過した水を、イオン生成器１４を通過させることによって、水の内部にヒドロニウムイオン（Ｈ3Ｏ+）とヒドロキシルイオン（Ｈ3Ｏ2-）とＨ+とＯＨ-とが発生する。なお、イオン交換樹脂３２を通過した塩素（Ｃｌ）と、イオン交換樹脂３２で発生したＮａ+とは、反応することなくそのままイオン生成器１４を通過する。
【００３１】
イオン生成器１４を通過した水を、次に、火成岩のうち二酸化珪素を多く含む岩石（二酸化珪素を約６５〜７６％含む岩石）５４を収納する岩石収納器１６の内部を通過させる。火成岩（火山岩と深成岩とに分けられる）のうち二酸化珪素を多く含む岩石５４としては、火山岩には黒曜石や真珠岩や松脂岩等の流紋岩があり、深成岩には花崗岩がある。岩石収納器１６の内部には、これらの岩石のうち少なくとも1種類以上の岩石を収納する。黒曜石や真珠岩や松脂岩等の流紋岩、あるいは花崗岩はマイナス電子を帯びている。
【００３２】
これら火成岩のうちの二酸化珪素を多く含む岩石（黒曜石や真珠岩や松脂岩等の流紋岩、あるいは花崗岩）は、原石の状態で−２０〜−２４０ｍＶの酸化還元電位を有する。但し、岩石５４は水に溶けるものを除く。岩石収納器１６は例えば内径を１０ｃｍとし、高さを８０ｃｍの筒とし、その内部に例えば５ｍｍ〜５０ｍｍ粒程度の大きさの火成岩のうち二酸化珪素を多く含む岩石５４を、水の通過流量を落とさない程度の量を収容する。
【００３３】
この岩石収納器１６の内部に、イオン生成器１４を通過した水を通過させると、水にｅ-（マイナス電子）が加えられる。この結果、水道水に含まれている塩素（Ｃｌ）はマイナス電子によって、塩素イオンとなる。
Ｃｌ  ＋  ｅ-  →  Ｃｌ-    ・・・(4)
このＣｌ-と前記Ｎａ+とはイオンとして安定した状態になる。安定した状態とは、蒸発することなくイオン状態が長期間保たれることを意味する。また、前記ヒドロキシルイオン（Ｈ3Ｏ2-）もイオンとして安定した状態になる。水が岩石５４を通過することによって、イオン生成器１４を通過した水と比べて、ヒドロニウムイオン（Ｈ3Ｏ+）が更に発生し、かつヒドロキシルイオン（Ｈ3Ｏ2-）も水素イオン（Ｈ+）も更に発生する。
Ｈ2Ｏ  ＋  Ｈ+  →  Ｈ3Ｏ+    ・・・(2)
Ｈ3Ｏ+  ＋  Ｈ2Ｏ  →  Ｈ3Ｏ2-  ＋  ２Ｈ+    ・・・(3)
水が岩石５４を通過することによって、その他に、以下の反応も発生する。
ＯＨ-  ＋  Ｈ+  →  Ｈ2Ｏ    ・・・(5)
２Ｈ+  ＋  ２ｅ-  →  ２Ｈ2    ・・・(6)
更に、水が岩石収納器１６を通過すると、岩石５４のマイナス電子によって、水の酸化還元電位が＋３４０ｍＶから−２０〜−２４０ｍＶになる。水に代えてお湯を使うと、マイナスの酸化還元電位がより安定する。更に、岩石５４を通過した水は、溶存酸素や活性水素を大量に含む。
【００３４】
図１に示すように、水が、最初にイオン交換樹脂を通過し、次にトルマリン４６（またはトルマリン４６と金属４８とを混合させたもの）に通過し、その後に岩石収納器１６を通過したものが特殊な水（創生水）である。創生水には、Ｎａ+と、Ｃｌ-と、Ｈ+と、ＯＨ-と、Ｈ2と、ヒドロニウムイオン（Ｈ3Ｏ+）と、ヒドロキシルイオン（Ｈ3Ｏ2-）と、活性水素と、溶存酸素とを多く含む。この水のエネルギは０．００４ｗａｔｔ／ｃｍ2である４〜１４ミクロンの波長の電磁波を有し、−２０〜−２４０ｍＶの酸化還元電位を有する。
【００３５】
本発明に係る燃料ガスの製造方法を生成する際に使用する水としては、水をイオン交換樹脂３２，トルマリン４６（またはトルマリン４６と金属４８とを混合したもの），岩石５４の順に通過させた創生水を使用する。図１では、水をイオン交換樹脂３２，トルマリン４６（またはトルマリン４６と金属４８とを混合したもの），岩石５４の順に通過させたが、水をイオン交換樹脂３２，岩石５４，トルマリン４６（またはトルマリン４６と金属４８とを混合したもの）の順にしても良い。即ち、図４に示すように、水を第１の軟水生成器１０と第２の軟水生成器１２と岩石収納器１６とイオン生成器１４の順に通過させるようにしてもよい。
【００３６】
この図４においては、イオン交換樹脂３２を通過した水は、次に岩石５４を通過する。この岩石５４によって、水の内部にｅ-（マイナス電子）が発生する。この結果、水道水に含まれている塩素はマイナス電子によって、塩素イオンとなる。
Ｃｌ  ＋  ｅ-  →  Ｃｌ-    ・・・(4)
このＣｌ-とイオン交換樹脂３２によって発生したＮａ+とはイオンとして安定した状態になる。なお、イオン交換樹脂３２を通過した水であっても、Ｎａ+を含まない場合もある。
イオン交換樹脂３２を通過した水には、前記(1)(2)に示すように、Ｈ+とＯＨ-とヒドロニウムイオン（Ｈ3Ｏ+）とが存在する。イオン交換樹脂３２を通過した水が、その後、岩石５４を通過することによって、以下の反応も発生する。
ＯＨ-  ＋  Ｈ+  →  Ｈ2Ｏ    ・・・(5)
Ｈ2Ｏ  ＋  Ｈ+  →  Ｈ3Ｏ+    ・・・(2)
２Ｈ+  ＋  ２ｅ-  →  ２Ｈ2    ・・・(6)
この反応においては、ヒドロニウムイオン（Ｈ3Ｏ+）が、イオン交換樹脂３２によって発生する量よりも更に多くの量が発生する。
以上のように、イオン交換樹脂３２の後に岩石５４を通過することによって、水の中に従来から存在したＮａ+とＯＨ-と、新たに発生するＣｌ-とヒドロニウムイオン（Ｈ3Ｏ+）とが存在することになる。また、岩石５４を通過させた水は、酸化還元電位が−２０〜−２４０ｍＶになる。水に代えてお湯を使うと、マイナスの酸化還元電位が更に安定する。更に、岩石５４を通過した水は、溶存酸素や活性水素を大量に含む。
【００３７】
この岩石５４を通過した水を、次にトルマリン４６と金属４８を内蔵するイオン生成器１４の内部を通過させる。これによって、以下の反応が生じる。
Ｈ2Ｏ  →  Ｈ+  ＋  ＯＨ-    ・・・(1)
Ｈ2Ｏ  ＋  Ｈ+  →  Ｈ3Ｏ+    ・・・(2)
このヒドロニウムイオン（Ｈ3Ｏ+）は大量に発生する。またヒドロニウムイオン（Ｈ3Ｏ+）の一部はヒドロキシルイオン（Ｈ3Ｏ2-）になる。
Ｈ3Ｏ+  ＋  Ｈ2Ｏ  →  Ｈ3Ｏ2-  ＋  ２Ｈ+    ・・・(3)
この結果、トルマリン４６と金属４８を通過させた水には、ヒドロニウムイオン（Ｈ3Ｏ+）と、ヒドロキシルイオン（Ｈ3Ｏ2-）と、ＯＨ-と、Ｈ+とが増加する。
【００３８】
図４に示すように、水をイオン交換樹脂３２，岩石５４，トルマリン４６（またはトルマリン４６と金属４８とを混合したもの）の順に通過させたものは、Ｎａ+と、Ｃｌ-と、ＯＨ-と、ヒドロニウムイオン（Ｈ3Ｏ+）と、ヒドロキシルイオン（Ｈ3Ｏ2-）と、Ｈ+と、溶存酸素と、活性水素とを含み、図１で創り出した創生水と同じ成分を含む。更に、０．００４ｗａｔｔ／ｃｍ2のエネルギを有する４〜１４ミクロンの電磁波と、−２０〜−２４０ｍＶの酸化還元電位を有する。この結果、図４で創り出した水と図１で創り出した創生水とは、同じ効果を有する。図４の装置で生成する水は、図１で生成する創生水と、水に含むものは結果的に同じであるので、図４の装置で生成する水も創生水とする。
【００３９】
この創生水の水質検査結果を、以下に示す。この創生水と比較する水道水の値をカッコ内に示す。但し、水道水において創生水と同じ値は、「同じ」とする。亜硝酸性窒素及び硝酸性窒素：１．８ｍｇ／ｌ（同じ）、塩素イオン：６．８ｍｇ／ｌ（９．０ｍｇ／ｌ）、一般細菌：０個／ｍｌ（同じ）、シアンイオン０．０１ｍｇ／ｌ未満（同じ）、水銀：０．０００５ｍｇ／ｌ未満（同じ）、有機リン：０．１ｍｇ／ｌ未満（同じ）、銅：０．０１ｍｇ／ｌ未満（同じ）、鉄：０．０５ｍｇ／ｌ未満（０．０８ｍｇ／ｌ未満）、マンガン：０．０１ｍｇ／ｌ未満（同じ）、亜鉛：０．００５ｍｇ／ｌ未満（０．０５４ｍｇ／ｌ未満）、鉛：０．０１ｍｇ／ｌ未満（同じ）、六価クロム：０．０２ｍｇ／ｌ未満（同じ）、カドミウム：０．００５ｍｇ／ｌ未満（同じ）、ヒ素：０．００５ｍｇ／ｌ未満（同じ）、フッ素：０．１５ｍｇ／ｌ未満（同じ）、カルシウム・マグネシウム等（硬度）：１．２ｍｇ／ｌ（４９．０ｍｇ／ｌ）、フェノール類：０．００５ｍｇ／ｌ未満（同じ）、陰イオン海面活性剤０．２ｍｇ／ｌ未満（同じ）、ｐＨ値：６．９（同じ）、臭気：異臭なし（同じ）、味：異味なし（同じ）、色度：２度（同じ）、濁度：０度（１度）。
【００４０】
創生水は、以下に列挙する多くの特徴を有する。
（ａ）界面活性作用がある。
創生水はヒドロニウムイオン（Ｈ3Ｏ+）及びヒドロキシルイオン（Ｈ3Ｏ2-）を含み、界面活性作用（ＯＷ型エマルジョン乳化作用）を有する。
（ｂ）微弱エネルギ（育成光線）作用がある。
トルマリンは微弱エネルギ（４〜１４ミクロンの波長の電磁波）を放出する。この微弱エネルギは水の大きいクラスターを切断して、クラスター内に抱えこまれていた有毒ガスや重金属類を水から外部に放出する。
（ｃ）水素イオン（Ｈ+）と、水素ガスと、水酸基（ＯＨ-）とを含んでいる。
（ｄ）−２０〜−２４０ｍＶの酸化還元電位を有している。
（ｅ）溶存酸素や活性水素を含んでいる。
【００４１】
次に、本発明に使用する液体原料について説明する。液体原料としては、灯油等の石油系燃料を使用することが望ましいが、石油系燃料以外のもの（例えば液化天然ガスや液化石炭系ガス等）を使用しても良い。液体原料としては灯油の他に、軽油，軽油と灯油の混合物，重油，重油と灯油の混合物，ガソリン，ナフサ，エタノール，メタノール，ベンゼン，トルエン，キシレン，液化石油ガス（ＬＰＧ），液化都市ガス（液化石炭系ガス，液化石油系ガス，液化天然ガス）等を用いても良い。
【００４２】
本発明に使用する植物油としては、液体原料として灯油やガソリンやナフサを使用する場合には、ひまし油を主として、菜種油かひまわり油か米油の内の少なくとも１つを混合したものを用いることによって、創生水と液体原料を乳化することができる。液体原料として灯油やガソリンやナフサ以外のもの（軽油，軽油と灯油の混合物，重油，重油と灯油の混合物，エタノール，メタノール，液化石油ガス，液化都市ガス）を使用する場合には、植物油としてひまし油を使用することによって、創生水と液体原料を乳化することができる。乳化剤として植物油を使用したエマルジョンから燃料ガスを生成すれば、ダイオキシンを発生しないため、環境汚染を防止することができる。
【００４３】
次に、本発明に係る燃料ガスの製造方法を図５に基づいて説明する。本発明の燃料ガスの製造方法は、先ず、水を最初にイオン交換樹脂に通過させその後にトルマリンと火成岩のうちの二酸化珪素を多く含む岩石とのどちらか一方を先に他方を後に通過させた特殊な水（創生水）と、灯油等の液体原料と、植物油と、を混合して液体のエマルジョンを生成する。創生水と液体原料と植物油の合計を１００％の重量比とすると、前記特殊な水の重量比を９９．４％以下とし、前記液体原料の重量比を０．５％以上とし、前記植物油の重量比を０．１％以上とし、これらの重量の創生水と液体原料と植物油とを混合してエマルジョンを生成する。
【００４４】
創生水と液体原料と植物油とを混合して生成したエマルジョンを容器６０内に収容する。なお、創生水と液体原料と植物油とを別々に容器６０内に入れて混合攪拌して、容器６０内で創生水と液体原料と植物油とから成るエマルジョンを生成しても良い。容器６０内に創生水と液体原料と植物油とを混合して生成したエマルジョンを入れた後、容器６０の上部開口部を蓋６２で閉じて、容器６０の内部を密閉状態とする。蓋６２には、容器内部と容器外部とを連絡する連絡通路６４を内部に形成したノズル６６が取り付けられており、ノズル６６の途中には、連絡通路６４を開閉する開閉バルブ６８が備えられている。容器６０の上部には、容器６０の内部の気圧を測定する気圧計７０と、容器６０の内部の温度を測定する温度計７２とが取り付けられている。容器６０の上方の形状は、蓋６２に向けて水平断面が徐々に狭くなるような円錐形状や角錐形状にするのが望ましい。容器６０の底面の下方には、容器６０内のエマルジョンを加熱するための加熱手段７４を備える。なお、加熱手段７４は火力に限るものではなく、加熱手段７４の配置位置も底面の下方に限るものではない。
【００４５】
容器６０内に、例えば１／４〜１／３程度の高さに液体状態のエマルジョンを入れ、容器６０に蓋６２をして容器６０内を密閉状態として、その後、加熱手段７４で密閉容器６０内のエマルジョンを加熱する。加熱手段７４で密閉容器６０内のエマルジョンを加熱するとエマルジョンが加熱沸騰し、加熱沸騰したエマルジョンから各種ガスから成る燃料ガス（後述する）が発生し、密閉容器６０内の圧力が高くなる。加熱手段７４は、密閉容器６０内のエマルジョンを沸騰させる程度の加熱温度を出すもの（例えば４００°Ｃ程度までの加熱温度を出すもの）であれば良く、特に１０００°Ｃ程度の高温を出す必要がない。容器６０内で加熱沸騰したエマルジョンから発生した燃料ガスで容器６０内の圧力が高くなる。加熱沸騰した気体による容器６０内の最大圧力は各国によって規定されているため、例えば密閉容器６０内の圧力が規定圧の５０％程度を越えると加熱手段７４による加熱力を小さくするか加熱を停止して、密閉容器６０内の圧力が規定圧力に至らないように、加熱手段７４による加熱力を調整する。
【００４６】
密閉容器６０内のエマルジョンを加熱手段７４で加熱することによって、エマルジョンから気体が発生する。エマルジョンの殆どを構成する創生水は、水素イオン（Ｈ+）と、水素（Ｈ2）と、水酸基（ＯＨ-）と、ヒドロニウムイオン（Ｈ3Ｏ+）と、ヒドロキシルイオン（Ｈ3Ｏ2-）と、溶存酸素と活性水素とを大量に含んでいる。このため、エマルジョンを密閉容器６０内で加熱沸騰させることによって、創生水に含まれている水素イオン（Ｈ+）と水素（Ｈ2）とヒドロニウムイオン（Ｈ3Ｏ+）と活性水素から大量の水素ガスが密閉容器６０内に発生する。また、水酸基（ＯＨ-）とヒドロキシルイオン（Ｈ3Ｏ2-）と溶存酸素とから大量の酸素ガスが密閉容器６０内に発生する。更に、気化した灯油等が密閉容器６０内に発生する。即ち、本発明よって生成する燃料ガスは、水素ガスと酸素ガスと気化した灯油等（天然ガス等もあり得る）とから成ると考えられる。なお、液体原料が液化石油ガスや液化都市ガス（液化石炭系ガス，液化石油系ガス，液化天然ガス）を使用した場合に、液化石油ガスや液化都市ガスから大量の水素ガスが発生することが実験から明らかになっている。
【００４７】
密閉容器６０内の圧力が常圧以上に充分高くなった状態で、開閉バルブ６８を開くと、ノズル６６から密閉容器６０内の高圧の燃料ガス（水素ガスと酸素ガスと気化した灯油等が混在する）が容器６０の外部に向けて噴射する。ノズル６６から外部に向けて噴射するガスに着火すると、強大な炎となって燃焼する。燃料ガスは、酸素ガスだけでは燃焼しないことと、灯油等の液体原料の重量比が例えば１％程度の少ない状態で燃焼が継続することとから、水素ガスが大量に含まれていることが分かる。また、灯油等の液体原料は、その重量比を例えば１％から１０％や２０％に徐々に増加させることによって、着火状態が良好になり、炎が大きくなる。これによって、灯油等の液体原料は加熱によって気化し、燃料ガスの着火性の向上と燃焼温度を高めるために効果があると考えられる。灯油等の液体原料の重量比を大きくすれば、燃料ガスの燃焼温度が高くなるが、灯油等の液体原料の重量比が１０％以上になると、炎が大きくなって燃焼温度が高くなることから、燃焼温度をより高めるためには、灯油等の液体原料の重量比が１０％以上であれば良い。灯油等の液体原料の重量比を増加させると、燃料ガスによる燃焼温度を徐々に高くすることができるが、経済効率上から灯油等の液体原料の重量比を３０％以上にする必要はないと考えられる。
【００４８】
なお、密閉容器６０内に入れたエマルジョンに過酸化水素（Ｈ2Ｏ2）を加えても良い。エマルジョンに混合する過酸化水素は、エマルジョンの重量１００％に対して、０．１％以上とする。エマルジョンに過酸化水素を混合したものを、密閉容器内５０内に入れ、エマルジョンと過酸化水素とを混合して入れた密閉容器６０を加熱手段７４で加熱する。密閉容器６０内に過酸化水素を加えて加熱手段７４で加熱することで、過酸化水素自体から酸素ガスが発生するだけでなく、創生水からも大量の酸素ガスを発生する。即ち、過酸化水素によって創生水から大量の酸素ガスの発生を誘発するものと考えられる。過酸化水素を加えた場合に酸素ガスの発生量が増えるが、酸素ガスが増加したことによって、過酸化水素を加えない場合と比べて、炎の色が赤みがかった色から青い色に変化する。即ち、燃料ガスの中に含まれる酸素ガスの割合が少ない場合（水素ガスの割合が多い場合）には、燃焼する炎の色が赤いが、酸素ガスの割合が多くなると、炎の色が青くなる。
【００４９】
なお、創生水に過酸化水素を加えることで、大量の酸素が発生することを、株式会社信濃公害研究所による試験結果に基づいて説明します。株式会社信濃公害研究所の住所は「長野県北佐久郡立科町芦田１８３５−１」であり、その電話番号は「０２６７−５６−２１８９」であり、そのＦＡＸ番号は「０２６７−５６−１８４３」である。試験の件名と目的は、「件名：創生水等を用いた過酸化水素の分解試験」、「目的：創生水等の過酸化水素に対する分解能力を調べる」である。その試験概要は、以下の（１）〜（５）の順に、先ず創生水について行った。（１）５０ｍｌのディスポシリンジに創生水を１０ｍｌ入れる。（２）３０％過酸化水素５ｍｌを上記シリンジに加える。（３）シリンジ内の空気を抜き、出口側に栓をし、発生する酸素が漏れないようにする。（４）出口側を上にし、３５°Ｃの恒温槽内に静置する。（５）２４，４８，７２，９６時間後にシリンジ内に発生した酸素の量をシリンジの容積目盛から測定する。
【００５０】
創生水からの発生酸素量ｍｌは、０時間後は０．０ｍｌ、２４時間後は２．０ｍｌ、４８時間後は７．２ｍｌ、７２時間後は１４．８ｍｌ、９６時間後は３３．５ｍｌであった。次に、創生水と同様の試験を水道水で行うと、水道水からの発生酸素量ｍｌは、０時間後は０．０ｍｌ、２４時間後は０．０ｍｌ、４８時間後は０．０ｍｌ、７２時間後は０．６ｍｌ、９６時間後は１．２ｍｌであった。この試験結果から、創生水に過酸化水素を混合させたものは、水道水に過酸化水素を混合させたものより、発生酸素量が大幅に多いことが分かる。この試験結果は、混合させたものを恒温槽内に静置させたものである。ここで、本発明のように、創生水と過酸化水素とを混合しものを密閉容器６０内で加熱することで、創生水と過酸化水素とを混合したものから（水道水と過酸化水素とを混合したものと比べて）、短時間で大量の酸素が発生することが分かる。
【００５１】
なお、密閉容器６０内の液体の温度が４００°Ｃ以下で容器内の圧力が１０気圧以下の場合において、水素や酸素以外に、酸素の発生量に比べて少量ではあるが、メタンガスやエタンガスも発生する。これらメタンガスやエタンガスは、密閉容器６０内の高圧の燃料ガス（水素ガスと酸素ガスと気化した灯油等が混在する）が容器６０の外部に向けてノズル６６から噴射する際に、高圧の燃料ガスの燃焼を助長するものである。
【００５２】
創生水と灯油等の液体原料と植物油とから成るエマルジョンから密閉容器６０内で発生する燃料ガスを燃焼させると、灯油等の液体原料が気化したガスの燃焼によって臭いが発生する場合がある。この臭いを消すために、本発明では、密閉容器６０内にトルマリン７６を入れる。エマルジョンとトルマリン７６を入れた密閉容器６０を加熱手段７４で加熱すると、熱と圧力とによってトルマリン４６のプラスとマイナスの電極が液体状態のエマルジョンに溶け出し、プラスとマイナスの電気によってエマルジョンを構成する創生水から大量の活性水素を発生する。大量に発生した活性水素によって、灯油等の液体原料から硫黄分が分解され、燃料ガスに硫黄分が含まれなくなり、燃料ガスを燃焼させても臭いが発生することはない。トルマリン７６を入れた場合に、アルミナかシリカの少なくとも１つの材料７８を共に混合させても良い。トルマリン７６によって大量に発生する活性水素で硫黄分を分解できるが、トルマリン７６にアルミナかシリカをトルマリン７６と混合させることで、エマルジョンに含まれる灯油等の液体原料から硫黄分をより確実に除去することができる。アルミナやシリカの少なくとも１つから成る材料７８はエマルジョンからの脱硫効果を助長するものである。この結果、密閉容器６０内に発生する燃料ガスを燃焼させた場合に、臭いを完全に消すことができる。
【００５３】
ここで、トルマリン４６は、トルマリン石を細かく砕いた粒状のものであっても良いが、トルマリンとセラミックと酸化アルミニウム（銀を含むものもある）との重量比を約１０：８０：１０とする市販のトルマリンペレットと呼ばれるトルマリン混合体であっても良い。トルマリンペレットに含まれるセラミックは、プラスの電極とマイナスの電極を発生する働きを有する。トルマリンとセラミックと酸化アルミニウムとの重量比は、約１０：１〜１：１０が望ましい。その範囲を超えると、一方の素材が多くなりすぎ、両方の素材の効果を同時に発揮することができない。密閉容器６０内に入れるトルマリン７６、またはトルマリン７６とアルミナかシリカの少なくとも１つの材料７８との混合物の量は、例えば、密閉容器６０の底面を満たす程度以上とする。
【産業上の利用可能性】
【００５４】
本発明の燃料ガスの製造方法では、特殊な水（創生水）を灯油等の液体原料と植物油とでエマルジョンを生成し、そのエマルジョンを加熱することで水素ガスと酸素ガスとを含む燃料ガスを製造するものである。しかも、多い水（創生水）の重量比、即ち少ない液体原料の重量比で、燃料ガスを製造することによって、安価な費用で水素ガスと酸素ガスとを含む燃料ガスを製造することができるものである。
【図１】
2010079712.tif 000003
【図２】
2010079712.tif 000004
【図３】
2010079712.tif 000005
【図４】
2010079712.tif 000006
【図５】
2010079712.tif 000007
【手続補正書】
【提出日】平成23年6月22日(2011.6.22)
【手続補正１】
【補正対象書類名】明細書
【補正対象項目名】００４８
【補正方法】変更
【補正の内容】
【００４８】
なお、密閉容器６０内に入れたエマルジョンに過酸化水素（Ｈ2Ｏ2）を加えても良い。エマルジョンに混合する過酸化水素は、エマルジョンの重量１００％に対して、０．１％以上とする。エマルジョンに過酸化水素を混合したものを、密閉容器内６０内に入れ、エマルジョンと過酸化水素とを混合して入れた密閉容器６０を加熱手段７４で加熱する。密閉容器６０内に過酸化水素を加えて加熱手段７４で加熱することで、過酸化水素自体から酸素ガスが発生するだけでなく、創生水からも大量の酸素ガスを発生する。即ち、過酸化水素によって創生水から大量の酸素ガスの発生を誘発するものと考えられる。過酸化水素を加えた場合に酸素ガスの発生量が増えるが、酸素ガスが増加したことによって、過酸化水素を加えない場合と比べて、炎の色が赤みがかった色から青い色に変化する。即ち、燃料ガスの中に含まれる酸素ガスの割合が少ない場合（水素ガスの割合が多い場合）には、燃焼する炎の色が赤いが、酸素ガスの割合が多くなると、炎の色が青くなる。
【手続補正２】
【補正対象書類名】明細書
【補正対象項目名】００５２
【補正方法】変更
【補正の内容】
【００５２】
創生水と灯油等の液体原料と植物油とから成るエマルジョンから密閉容器６０内で発生する燃料ガスを燃焼させると、灯油等の液体原料が気化したガスの燃焼によって臭いが発生する場合がある。この臭いを消すために、本発明では、密閉容器６０内にトルマリン７６を入れる。エマルジョンとトルマリン７６を入れた密閉容器６０を加熱手段７４で加熱すると、熱と圧力とによってトルマリン７６のプラスとマイナスの電極が液体状態のエマルジョンに溶け出し、プラスとマイナスの電気によってエマルジョンを構成する創生水から大量の活性水素を発生する。大量に発生した活性水素によって、灯油等の液体原料から硫黄分が分解され、燃料ガスに硫黄分が含まれなくなり、燃料ガスを燃焼させても臭いが発生することはない。トルマリン７６を入れた場合に、アルミナかシリカの少なくとも１つの材料７８を共に混合させても良い。トルマリン７６によって大量に発生する活性水素で硫黄分を分解できるが、トルマリン７６にアルミナかシリカをトルマリン７６と混合させることで、エマルジョンに含まれる灯油等の液体原料から硫黄分をより確実に除去することができる。アルミナやシリカの少なくとも１つから成る材料７８はエマルジョンからの脱硫効果を助長するものである。この結果、密閉容器６０内に発生する燃料ガスを燃焼させた場合に、臭いを完全に消すことができる。
【国際調査報告】
2010079712.tif 000008
2010079712.tif 000009
2010079712.tif 000010
2010079712.tif 000011